(57)【要約】【課題】便座の暖房を温水で行えるようにする場合に、温水の生成に要するエネルギを低減できるようにしながら、長期間に亘って清潔を維持する。【解決手段】温水循環回路２０には、温水循環回路２０内の水を排水するための排水回路４０が接続されている。温水循環回路２０には、温水循環回路２０内の水を排出する排水状態と、温水循環回路２０内の水の排出を禁止する非排水状態とに切り替えられる第１バルブ２５が設けられている。【選択図】図１
2015029856.tif 000002
【特許請求の範囲】
【請求項１】
便座（１０）に形成された温水通路（２１）と、該温水通路（２１）に接続される給湯配管（２２）とを有し、該給湯配管（２２）の中途部に、給水源（２）から供給された水を加温して温水を生成するヒーター（２３）と、該ヒーター（２３）で生成された温水を上記温水通路（２１）に供給するためのポンプ（２４）とが設けられ、上記ヒーター（２３）で生成された温水を上記ポンプ（２４）により上記温水通路（２１）に供給した後、再び上記給湯配管（２２）に流通させるように構成された温水循環回路（２０）と、
上記便座（１０）の使用者の局部を洗浄するための洗浄ノズル（３３、３４）と、上記温水循環回路（２０）に接続され、該温水循環回路（２０）を流通する温水を上記洗浄ノズル（３３、３４）に供給するための局部洗浄用温水配管（３１、３２）とを有する局部洗浄回路（３０）とを備えた暖房便座（１）において、
上記温水循環回路（２０）には、該温水循環回路（２０）内の水を排水するための排水回路（４０）が接続され、
上記温水循環回路（２０）には、該温水循環回路（２０）内の水を排出する排水状態と、温水循環回路（２０）内の水の排出を禁止する非排水状態とに切り替えられる排水切換弁（２５）が設けられていることを特徴とする暖房便座（１）。
【請求項２】
請求項１に記載の暖房便座（１）において、
上記温水循環回路（２０）の上記ポンプ（２４）は、上記ヒーター（２３）の下流側に設けられ、
上記局部洗浄用温水配管（３１、３２）の上流側は、上記温水循環回路（２０）における上記ヒーター（２３）の下流側で、かつ、上記ポンプ（２４）の上流側に配設されていることを特徴とする暖房便座（１）。
【請求項３】
請求項１または２に記載の暖房便座（１）において、
上記排水回路（４０）から排出される水と、上記給水源（２）から供給される水とを熱交換させる熱交換器（８０）を備えていることを特徴とする暖房便座（１）。
【発明の詳細な説明】
【技術分野】
【０００１】
本発明は、洋式便器に使用される暖房便座に関するものである。
【背景技術】
【０００２】
従来より、温水で便座を加温するように構成された暖房便座が知られている（例えば、特許文献１、２参照）。特許文献１の暖房便座は、瞬間式温水ヒーターと、便座給湯配管とを備えており、温水ヒーターで生成した温水は、便座給湯配管を通って便座に形成された温水通路に供給され、また、局部を洗浄するためのノズルにも供給される。便座の温水通路を流通した水は、便座に設けられた排水口から便器内に排水されるようになっている。
【０００３】
特許文献２の暖房便座では、温水ヒーターで生成した温水は、便座に形成された温水通路に供給されて温水通路を循環するようになっている。また、温水ヒーターで生成した温水は、局部を洗浄する温水としても利用するようにしている。
【先行技術文献】
【特許文献】
【０００４】
【特許文献１】特開２００１−２１２０３１号公報
【特許文献２】特開２０１３−８５９２２号公報
【発明の概要】
【発明が解決しようとする課題】
【０００５】
特許文献１、２では、温水ヒーターで生成した温水を便座の暖房と、局部を洗浄するための温水として利用することができる。しかしながら、特許文献１では、便座の温水通路を流通した水は便器内に排水されるようになっている。便座の温水通路の流通した水は、常温まで温度低下してしまうことはなく、常温よりも高い温度状態となっているにも関わらず、便器に排水されるので、温水を生成するのに要するエネルギが無駄に消費されることになる。
【０００６】
これに対し、特許文献２では便座の温水通路に温水を循環させているので、特許文献１のものに比べて省エネルギ化を図ることができる反面、長期間の使用によって内部の水が腐敗することが考えられ、衛生面が問題となることが考えられる。
【０００７】
本発明は、かかる点に鑑みてなされたものであり、その目的とするところは、便座の暖房を温水で行えるようにする場合に、温水の生成に要するエネルギを低減できるようにしながら、長期間に亘って清潔に維持できるようにすることにある。
【課題を解決するための手段】
【０００８】
上記目的を達成するために、本発明では、便座に温水を循環させる温水循環回路から分岐して洗浄ノズルに温水を供給できるようにし、温水循環回路を循環した温水を所定のタイミングで排水できるようにした。
【０００９】
第１の発明は、
便座（１０）に形成された温水通路（２１）と、該温水通路（２１）に接続される給湯配管（２２）とを有し、該給湯配管（２２）の中途部に、給水源（２）から供給された水を加温して温水を生成するヒーター（２３）と、該ヒーター（２３）で生成された温水を上記温水通路（２１）に供給するためのポンプ（２４）とが設けられ、上記ヒーター（２３）で生成された温水を上記ポンプ（２４）により上記温水通路（２１）に供給した後、再び上記給湯配管（２２）に流通させるように構成された温水循環回路（２０）と、
上記便座（１０）の使用者の局部を洗浄するための洗浄ノズル（３３、３４）と、上記温水循環回路（２０）に接続され、該温水循環回路（２０）を流通する温水を上記洗浄ノズル（３３、３４）に供給するための局部洗浄用温水配管（３１、３２）とを有する局部洗浄回路（３０）とを備えた暖房便座（１）において、
上記温水循環回路（２０）には、該温水循環回路（２０）内の水を排水するための排水回路（４０）が接続され、
上記温水循環回路（２０）には、該温水循環回路（２０）内の水を排出する排水状態と、温水循環回路（２０）内の水の排出を禁止する非排水状態とに切り替えられる排水切換弁（２５）が設けられていることを特徴とする。
【００１０】
この構成によれば、給水源から供給された水が給湯配管のヒーターにより加温されて温水になり、この温水がポンプによって便座の温水通路に供給される。温水が温水通路を流れる間に放熱して便座が暖房される。排水切換弁が非排水状態になっている場合には、温水通路を流通した温水が再び給湯配管に流入した後、便座の温水通路に供給されることになる。一度暖めた温水を循環させて便座を暖房できるので、省エネルギ化を図ることが可能になる。
【００１１】
温水循環回路を循環する温水は、排水切換弁を排水状態にすると温水循環回路から排水され、その後、給水源から新たな水が供給される。これにより、温水循環回路内の水が清潔に維持される。また、温水循環回路を流通する温水は、局部洗浄用温水配管によって洗浄ノズルに供給されるので、洗浄ノズルから流出する温水も清潔になる。
【００１２】
第２の発明は、第１の発明において、
上記温水循環回路（２０）の上記ポンプ（２４）は、上記ヒーター（２３）の下流側に設けられ、
上記局部洗浄用温水配管（３１、３２）の上流側は、上記温水循環回路（２０）における上記ヒーター（２３）の下流側で、かつ、上記ポンプ（２４）の上流側に配設されていることを特徴とする。
【００１３】
この構成によれば、ポンプを作動させなくても、給水源の水圧によって温水を洗浄ノズルに供給することが可能になる。
【００１４】
第３の発明は、第１または２の発明において、
上記排水回路（４０）から排出される水と、上記給水源（２）から供給される水とを熱交換させる熱交換器（８０）を備えていることを特徴とする。
【００１５】
この構成によれば、排出される水が常温よりも高い場合に、給水源から温水循環回路に供給される水が、温水循環回路から排出される水によって加温されることになるので、ヒーターの消費エネルギが減少する。
【発明の効果】
【００１６】
第１の発明によれば、ヒーターにより生成した温水を循環させながら便座を暖房できるので、省エネルギ化を図ることができる。温水循環回路に排水回路を接続して所定のタイミングで温水循環回路の水を排水するようにしたので、長期間に亘って清潔に維持できる。
【００１７】
第２の発明によれば、局部洗浄用温水配管の上流側を温水循環回路におけるヒーターの下流側で、かつ、ポンプの上流側に配設したので、ポンプを作動させなくても、給水源の水圧によって温水を洗浄ノズルに供給することができるので、より一層の省エネルギ化を図ることができる。
【００１８】
第３の発明によれば、排水回路から排出される水と、給水源から供給される水とを熱交換させるようにしたので、より一層の省エネルギ化を図ることができる。
【図面の簡単な説明】
【００１９】
【図１】本発明の実施形態１に係る暖房便座の構成図である。
【図２】暖房便座のブロック図である。
【図３】第１バルブの動作説明図である。
【図４】第２バルブの動作説明図である。
【図５】第３バルブの動作説明図である。
【図６】便座暖房モード時の温水の流れを示す図１相当図である。
【図７】ノズル排水モード時の温水の流れを示す図１相当図である。
【図８】第１局部洗浄モード時の温水の流れを示す図１相当図である。
【図９】第２局部洗浄モード時の温水の流れを示す図１相当図である。
【図１０】第１排水モード時の温水の流れを示す図１相当図である。
【図１１】第２排水モード時の温水の流れを示す図１相当図である。
【図１２】実施形態２に係る図１相当図である。
【図１３】実施形態２に係る図３相当図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
（実施形態１）
図１は、本発明の実施形態１に係る暖房便座１の概略構成を示す図である。この暖房便座１は、洋式便器で使用されるものである。暖房便座１は、便座１０と、温水循環回路２０と、局部洗浄回路３０と、第１排水回路４０と、第２排水回路５０と、制御装置６０（図２に示す）とを少なくとも備えている。第１排水回路４０は排水配管４１を備えており、また、第２排水回路５０は排水配管５１を備えている。
【００２２】
便座１０は、図示しない洋式便器に載置されて使用されるものであり、例えば樹脂成形品とすることができる。便座１０の内部には、上記温水循環回路２０の一部を構成する温水通路２１が形成されている。温水通路２１は、例えばガスインジェクション法によって形成してもよいし、パイプ部材を便座１０に埋め込むことによって形成してもよい。また、温水通路２１の断面は上下方向の寸法よりも幅寸法の方が長い形状となっており、温水を便座１０の広い範囲に流すことができるようになっている。尚、温水通路２１は、便座１０の内部を蛇行するように設けてもよい。
【００２３】
温水循環回路２０は、上記温水通路２１の他に、給湯配管２２を有している。給湯配管２２の上流端は、温水通路２１の下流端に接続されている。また、給湯配管２２の下流端は、温水通路２１の上流端に接続されている。これにより、温水通路２１と給湯配管２２とで環状の温水流路が形成される。
【００２４】
給湯配管２２の中途部には、給水源２から供給された水を加温して温水を生成するヒーター２３と、該ヒーター２３で生成された温水を温水通路２１に供給するポンプ２４とが設けられている。ポンプ２４は、各種構造のものを用いることができ、ヒーター２３の下流側に設けられている。ヒーター２３は、例えば電気式ヒーターを用いることができ、具体的には、セラミックヒーターである。ヒーター２３は、水を瞬間的に３０℃〜４０℃程度まで加熱できる瞬間式温水ヒーターが好ましい。給水源２は、例えば家庭用の水道を使用することができる。ヒーター２３及びポンプ２４は、制御装置６０により制御される。
【００２５】
給湯配管２２には、該給湯配管２２の上流端とヒーター２３との間に第１バルブ２５が設けられ、また、ヒーター２３のポンプ２４との間に第２バルブ２６が設けられ、さらに、ポンプ２４と該給湯配管２２の下流端との間に第３バルブ２７が設けられている。第１〜第３バルブ２５〜２７は、制御装置６０により制御される。
【００２６】
第１バルブ２５は、電気式アクチュエータによって流路の切り替えを行うように構成された周知の構造のものを用いることができる。図３に示すように、第１バルブ２５は、排水切換弁であり、バルブケーシング２５ａと、バルブケーシング２５ａ内を移動するロッド２５ｂとを有しており、ロッド２５ｂを図３における紙面表裏方向にアクチュエータによって進退移動させて流路を切り替える。具体的には、バルブケーシング２５ａには、給湯配管２２と、給水源２から延びる給水配管２ａと、第１排水回路４０の排水配管４１とが接続されている。
【００２７】
ロッド２５ｂの基本形状は中実である。ロッド２５ｂには、第１通路２５ｃと、第２通路２５ｄと、第３通路２５ｅと、第４通路２５ｆとが形成されている。第１通路２５ｃと、第２通路２５ｄとはロッド２５ｂの軸方向に離れている。第１通路２５ｃは、給水配管２ａと、第１バルブ２５よりも下流側の給湯配管２２とを連通させる通路である。第２通路２５ｄは、第１バルブ２５よりも上流側の給湯配管２２と、第１バルブ２５よりも下流側の給湯配管２２とを連通させる通路である。第３通路２５ｅ及び第４通路２５ｆは、第２通路２５ｄからロッド２５ｂの軸方向に離れ、かつ、互いにロッド２５ｂの軸方向について同じ位置に形成されている。第３通路２５ｅは、給水配管２ａと、第１バルブ２５よりも下流側の給湯配管２２とを連通させる通路である。第４通路２５ｆは、第１バルブ２５よりも上流側の給湯配管２２と、排水配管４１とを連通させる通路である。
【００２８】
第２バルブ２６は図４に示すように基本構造は第１バルブ２５と同じようにバルブケーシング２６ａとロッド２６ｂとを備えているが、バルブケーシング２６ａに接続されている配管及びロッド２６ｂに形成されている通路が異なっている。すなわち、バルブケーシング２６ａには、給湯配管２２と、局部洗浄回路３０の第１配管（局部洗浄用温水配管）３１及び第２配管（局部洗浄用温水配管）３２とが接続されている。
【００２９】
ロッド２６ｂには、第１通路２６ｃと、第２通路２６ｄと、第３通路２６ｅと、第４通路２６ｆとが形成されている。
【００３０】
第１通路２６ｃ、第２通路２６ｄ、第３通路２６ｅ及び第４通路２６ｆは、互いにロッド２５ｂの軸方向に離れている。第１通路２６ｃは、第２バルブ２６よりも上流側の給湯配管２２と、局部洗浄回路３０の第１配管３１及び第２配管３２とを連通させる通路である。第２通路２６ｄは、第２バルブ６５よりも上流側の給湯配管２２と、局部洗浄回路３０の第１配管３１とを連通させる通路である。第３通路２６ｅは、第２バルブ６５よりも上流側の給湯配管２２と、局部洗浄回路３０の第２配管３２とを連通させる通路である。第４通路２６ｆは、第２バルブ２６よりも上流側の給湯配管２２と、第２バルブ２６よりも下流側の給湯配管２２とを連通させる通路である。
【００３１】
第３バルブ２７は図５に示すように基本構造は第１バルブ２５と同じようにバルブケーシング２７ａとロッド２７ｂとを備えているが、バルブケーシング２７ａに接続されている配管及びロッド２７ｂに形成されている通路が異なっている。すなわち、バルブケーシング２７ａには、給湯配管２２と、第２排水回路５０の排水配管５１とが接続されている。
【００３２】
ロッド２７ｂには、第１通路２７ｃと、第２通路２７ｄとが形成されている。
【００３３】
第１通路２７ｃと第２通路２７ｂとは、互いにロッド２７ｂの軸方向に離れている。第１通路２７ｃは、第３バルブ２７よりも上流側の給湯配管２２と、第３バルブ２７よりも下流側の給湯配管２２とを連通させる通路である。第２通路２７ｄは、第３バルブ２７よりも上流側の給湯配管２２と、第２排水回路５０の排水配管５１とを連通させる通路である。
【００３４】
第３バルブ２７には、暖房便座１内の水を第２排水モード（後述する）で排水する際に外部から空気を取り込むための逆止弁２９が設けられている。この逆止弁２９は、給湯配管２２内の水を漏らすことなく、給湯配管２２内には空気を取り込むことができるように構成された周知のものである。第２排水モード以外のモードでは逆止弁２９が給湯配管２２に接続されないようになっている。
【００３５】
図１に示すように、局部洗浄回路３０は、上記第１配管３１及び第２配管３２と、第１配管３１の先端部に設けられた第１ノズル３３と、第２配管３２の先端部に設けられた第２ノズル３４とを有している。第１ノズル３３は、例えばおしりを洗浄するためのノズルであり、第２ノズル３４は、例えばビデ用のノズルである。
【００３６】
また、図２に示すように、暖房便座１は、第１洗浄スイッチ６１と、第２洗浄スイッチ６２と、温度センサ６３と、人感センサ６４と、第１排水スイッチ７１と、第２排水スイッチ７１とを備えている。第１洗浄スイッチ６１、第２洗浄スイッチ６２、温度センサ６３、第１排水スイッチ７１、第２排水スイッチ７１及び人感センサ６４は制御装置６０に接続されている。
【００３７】
第１洗浄スイッチ６１は、おしり洗浄用のスイッチである。第２洗浄スイッチ６２はビデ洗浄用のスイッチである。温度センサ６３は、ヒーター２３で加温された温水の温度を検出するためのセンサである。人感センサ６４は、周知の構造の赤外線センサ等で構成することができ、トイレ室内に使用者がいるか否かを検出するセンサである。この人感センサ６４は、便座１０に使用者が着座したことを検出する着座センサや、便座１０に人が接近したことを検出するセンサ等であってもよい。第１排水スイッチ７１は、暖房便座１内の水を第１排水モード（後述する）で排水するためのスイッチである。第２排水スイッチ７２は、暖房便座１内の水を第２排水モード（後述する）で排水するためのスイッチである。
【００３８】
制御装置６０は、第１洗浄スイッチ６１、第２洗浄スイッチ６２、第１排水スイッチ７１及び第２排水スイッチ７２の操作状態と、温度センサ６３及び人感センサ６４からの出力信号とに基づいて、ヒーター２３、ポンプ２４及び第１〜第３バルブ２５〜２７を制御し、暖房便座１の運転モードを、図６に示す便座暖房モード、図７に示すノズル排水モード、図８に示す第１局部洗浄モード、図９に示す第２局部洗浄モード、図１０に示す第１排水モード、図１１に示す第２排水モードの中から任意のモードに切り替えることができるように構成されている。尚、図示しないが、電源の入切スイッチも設けられている。
【００３９】
図６に示す便座暖房モードは、人感センサ６４により使用者が検知されないときに選択される運転モードであり、制御装置６０は、ヒーター２３及びポンプ２４をＯＮにする。さらに、制御装置６０は、第１バルブ２５を図３（ｂ）の状態にして第１バルブ２５よりも上流側の給湯配管２２と、第１バルブ２５よりも下流側の給湯配管２２とを連通させる。この状態は、温水循環回路２０内の水の排出を禁止する非排水状態である。また、第２バルブ２６を図４（ｄ）の状態にして第２バルブ２６よりも上流側の給湯配管２２と、第１バルブ２５よりも下流側の給湯配管２２とを連通させ、さらに、第３バルブ２７を図５（ａ）の状態にして第３バルブ２７よりも上流側の給湯配管２２と、第３バルブ２７よりも下流側の給湯配管２２とを連通させる。
【００４０】
これにより、ヒーター２３で加温された温水がポンプ２４によって給湯配管２２から便座１０の温水通路２１に供給されて温水通路２１を流通した後、再び給湯配管２２に戻ってヒーター２３で加温され、ポンプ２４によって給湯配管２２から便座１０の温水通路２１に供給される。つまり、一度暖めた温水を循環させて便座１０を暖房できるので、省エネルギ化を図ることが可能になる。温水の温度調節は、温度センサ６３の検出結果に基づいて制御装置６０がヒータ−２３の能力を制御することによって行う。
【００４１】
図７に示すノズル排水モードは、人感センサ６４により使用者が検知された場合に選択されるモードであり、制御装置６０は、ヒーター２３及びポンプ２４をＯＮにしたまま、次のように第１、第２バルブ２５、２６を切り替える。すなわち、制御装置６０は、第１バルブ２５を図３（ａ）の状態にして給水配管２ａと、第１バルブ２５よりも下流側の給湯配管２２とを連通させ、また、第２バルブ２６を図４（ａ）の状態にして第２バルブ２６よりも上流側の給湯配管２２と、局部洗浄回路３０の第１配管３１及び第２配管３２とを連通させる。
【００４２】
給水配管２ａは水道に接続されているので、水道の水圧によって水が給湯配管２２に流入する。給湯配管２２に流入した水はヒーター２３により加温された後、第２バルブ２６を経て、局部洗浄回路３０の第１配管３１及び第２配管３２に供給される。これにより、第１配管３１及び第２配管３２内の古くなった水が流れ出て清潔になるとともに、温水を第１ノズル３３及び第２ノズル３４に予め供給しておくことができるので、例えばおしりやビデ洗浄が快適になる。
【００４３】
ノズル排水モードは、温水を第１ノズル３３及び第２ノズル３４に供給することができる程度の短い所定時間だけ行われるモードであり、この所定時間が経過すると、便座暖房モードに切り替えられる。
【００４４】
図８に示す第１局部洗浄モードは、第１洗浄スイッチ６１が押されたときに選択される運転モードであり、ヒーター２３をＯＮにし、ポンプ２４を停止した状態で、次のように第１、第２バルブ２５、２６を切り替える。すなわち、制御装置６０は、第１バルブ２５を図３（ａ）の状態にして給水配管２ａと、第１バルブ２５よりも下流側の給湯配管２２とを連通させ、また、第２バルブ２６を図４（ｂ）の状態にして第２バルブ２６よりも上流側の給湯配管２２と、局部洗浄回路３０の第１配管３１とを連通させて第２配管３２には水を流さないようにする。給水配管２ａは水道に接続されているので、水道の水圧によって水が給湯配管２２に流入する。給湯配管２２に流入した水はヒーター２３により加温された後、第２バルブ２６を経て、局部洗浄回路３０の第１配管３１に供給される。これにより、第１ノズル３３から温水が噴出しておしり洗浄が可能になる。水道の水圧を利用しているので、ポンプ２４を作動させずに済み、エネルギ消費が少ない。
【００４５】
図９に示す第２局部洗浄モードは、第２洗浄スイッチ６２が押されたときに選択される運転モードであり、ヒーター２３をＯＮにし、ポンプ２４を停止した状態で、次のように第１、第２バルブ２５、２６を切り替える。すなわち、制御装置６０は、第１バルブ２５を図３（ａ）の状態にして給水配管２ａと、第１バルブ２５よりも下流側の給湯配管２２とを連通させ、また、第２バルブ２６を図４（ｃ）の状態にして第２バルブ２６よりも上流側の給湯配管２２と、局部洗浄回路３０の第２配管３２とを連通させて第１配管３１には水を流さないようにする。給水配管２ａは水道に接続されているので、水道の水圧によって水が給湯配管２２に流入する。給湯配管２２に流入した水はヒーター２３により加温された後、第２バルブ２６を経て、局部洗浄回路３０の第２配管３２に供給される。これにより、第２ノズル３４から温水が噴出してビデ洗浄が可能になる。水道の水圧を利用しているので、ポンプ２４を作動させずに済み、エネルギ消費が少ない。
【００４６】
図１０に示す第１排水モードは、制御装置６０が、暖房便座１の電源がＯＮの状態のときに、所定のタイミングで選択するモードである。所定のタイミングとは、例えば、半日毎や１日おきであればよく、温水循環回路２０内の水を清潔に維持できるように第１排水モードを選択して実行する。第１排水モードを実行するタイミングは、使用者が任意に設定できるようにしてもよい。また、第１排水スイッチ７１が押されたときに第１排水モードが選択されるように構成してよい。
【００４７】
第１排水モードでは、制御装置６０は、ヒーター２３をＯＦＦにし、ポンプ２４をＯＮにする。さらに、制御装置６０は、第１バルブ２５を図３（ｃ）の状態にして給水配管２ａと、第１バルブ２５よりも下流側の給湯配管２２とを連通させるとともに、給湯配管２２と第１排水回路４０の排水配管４１とを連通させる。この状態は、温水循環回路２０内の水を排出する排水状態である。また、第２バルブ２６を図４（ｄ）の状態にして第２バルブ２６よりも上流側の給湯配管２２と、第２バルブ２６よりも下流側の給湯配管２２とを連通させ、さらに、第３バルブ２７を図５（ａ）の状態にして第３バルブ２７よりも上流側の給湯配管２２と、第３バルブ２７よりも下流側の給湯配管２２とを連通させる。
【００４８】
これにより、水道水が水圧によって給湯配管２２から流れ込んできて、ポンプ２４を作動させることによって便座１０の温水通路２１を流れて温水通路２１を流通した後、第１排水回路４０の排水配管４１から排水される。排水配管４１から排水が開始された後、給湯配管２２及び温水通路２１内の古い水が全て排出されるまで第１排水モードを継続する。第１排水モードは予め設定された時間だけ継続すればよい。第１排水モードを終わらせる際には、第１バルブ２５を図３（ｂ）に示す状態にすればよい。
【００４９】
図１１に示す第２排水モードは、温水循環回路２０内の水を清潔に維持できるように所定のタイミングで制御装置６０が選択するモードである。第１排水モードと第２排水モードとはいずれか一方を選択するようにしてもよいし、両方を異なるタイミングで選択するようにしてもよい。第２排水モードを実行するタイミングも、使用者が任意に設定できるようにしてもよい。また、第２排水スイッチ７２が押されたときに選択されるように構成してよい。
【００５０】
第２排水モードでは、制御装置６０は、ヒーター２３をＯＦＦにし、ポンプ２４をＯＮにする。さらに、制御装置６０は、第１バルブ２５を図３（ｂ）の状態にして第１バルブ２５よりも上流側の給湯配管２２と第１バルブ２５よりも下流側の給湯配管２２とを連通させ、また、第２バルブ２６を図４（ｄ）の状態にして第２バルブ２６よりも上流側の給湯配管２２と、第２バルブ２６よりも下流側の給湯配管２２とを連通させ、さらに、第３バルブ２７を図５（ｂ）の状態にして第３バルブ２７よりも上流側の給湯配管２２と、第２排水回路５０の排水配管５１とを連通させる。この状態で逆止弁２９と、該逆止弁２９の下流側の給湯配管２２とが接続される。
【００５１】
これにより、給湯配管２２及び温水通路２１内の水がポンプ２４によって第２排水回路５０の排水配管５１に流され、排水配管５１から排水される。このときに逆止弁２９から空気が取り込まれるので、排水がスムーズに行われる。排水配管５１から排水が開始された後、給湯配管２２及び温水通路２１内の古い水が全て排出されるまで第２排水モードを継続する。第２排水モードは予め設定された時間だけ継続すればよい。第２排水モードを終わらせる際には、第３バルブ２５を図５（ａ）に示す状態にすればよい。
【００５２】
以上説明したように、この実施形態１に係る暖房便座１によれば、使用者が居ないときには、給水源２である水道から供給された水が給湯配管２２のヒーター２３により加温されて温水になり、この温水がポンプ２４によって便座１０の温水通路２１に供給される。温水が温水通路２１を流れる間に放熱して便座１０が暖房される。
【００５３】
排水切換弁である第１バルブ２５が図３（ｂ）に示すように第１排水回路４０から排水しない非排水状態になっている場合には、温水通路２１を流通した温水が再び給湯配管２２に流入した後、便座１０の温水通路２１に供給されることになる。一度暖めた温水を循環させて便座１０を暖房できるので、省エネルギ化を図ることが可能になる。
【００５４】
温水循環回路２０を循環する温水は、第１バルブ２５を図３（ｃ）に示すように第１排水回路４０から排水可能な状態にすると温水循環回路２０から排水されるとともに、新たな水が上流側から供給される。これにより、温水循環回路２０内の水が清潔に維持される。
【００５５】
また、図８の第１局部洗浄モードや図９の第２局部洗浄モードでは、清潔に維持された温水循環回路２０を流通する温水を、第１洗浄ノズル３３や第２洗浄ノズル３４に供給するので、第１洗浄ノズル３３や第２洗浄ノズル３４から流出する温水も清潔になる。
【００５６】
したがって、ヒーター２３により生成した温水を循環させながら便座１０を暖房できるので、省エネルギ化を図ることができる。また、温水循環回路２０に第１排水回路４０を接続して所定のタイミングで温水循環回路２０の水を排水するようにしたので、長期間に亘って清潔を維持できる。温水循環回路２０の水を第２排水回路５０から排水することによっても温水循環回路２０を清潔に維持できる。局部洗浄回路３０の上流側を温水循環回路２０におけるヒーター２３の下流側で、かつ、ポンプ２４の上流側に配設したので、ポンプ２４を作動させなくても、給水源の水圧によって温水を第１洗浄ノズル３３や第２洗浄ノズル３４に供給することができるので、より一層の省エネルギ化を図ることができる。
【００５７】
尚、実施形態１の第２排水回路５０は省略してもよい。
【００５８】
（実施形態２）
図１２は、本発明の実施形態２に係る暖房便座１を示すものであり、図１３は、実施形態２の第１バルブ２５の動作を説明するためのものである。実施形態２の暖房便座１は、実施形態１のものに対し、第２排水回路を省略している点と、第１排水回路４０の構造が異なっている点と、熱交換器８０を備えている点とで異なっており、他の部分は実施形態１と同じであるため、以下、実施形態１と異なる部分について詳細に説明する。
【００５９】
熱交換器８０は、第１排水回路４０から排出される水と、給水源２から供給される水とを熱交換させるためのものであり、第１排水回路４０から排出される水が流通する排水側チューブ８１と、給水源２から供給される水が流通する給水側チューブ８２とを備えている。排水側チューブ８１と給水側チューブ８２とは外面同士が接触または近接するように配置されており、相互に熱伝達可能に構成されている。
【００６０】
第１バルブ２５には、図１３に示すように給湯配管２２と、給水配管２ａと、第１排水回路４０の排水配管４１とが接続されている。第１バルブ２５のロッド２５ｂには、実施形態１と同様に、給水配管２ａと第１バルブ２５よりも下流側の給湯配管２２とを連通させる第１通路２５ｃと、第１バルブ２５よりも上流側の給湯配管２２と第１バルブ２５よりも下流側の給湯配管２２とを連通させる第２通路２５ｄと、給水配管２ａと第１バルブ２５よりも下流側の給湯配管２２とを連通させる第３通路２５ｅと、第１バルブ２５よりも上流側の給湯配管２２と第１排水配管４１とを連通させる第４通路２５ｆとが形成されている。
【００６１】
そして、第１バルブ２５は、便座暖房モードのときには、図１３（ｂ）に示す状態となり、また、ノズル排水モード、第１局部洗浄モード及び第２局部洗浄モードのときには、図３（ａ）に示す状態となり、また、第１排水モードのときには、図３（ｃ）に示す状態となる。
【００６２】
図１２に示すように、第１排水モードでは、第１バルブ２５が図３（ｃ）の状態となっているため、水道水が給水配管２ａから熱交換器８０の給水側チューブ８２を流通して温水循環回路２０に流入するとともに、温水循環回路２０内の水が第１排水回路４０の排水配管４１から熱交換器８０の排水側チューブ８１を流通して排水される。このとき排水される水は水道水よりも温度が高くなっているので、熱交換器８０で水道水が加温されることになる。よって、ヒーター２３の消費エネルギが減少する。
【００６３】
したがって、この実施形態２では、実施形態１と同様な作用効果を奏することができる。また、第１排水回路４０から排出される水と、給水源２から供給される水とを熱交換器８０で熱交換させるようにしたので、より一層の省エネルギ化を図ることができる。
【００６４】
尚、上記実施形態１、２では、ビデ用の第２洗浄ノズル３４を設けているが、これに限らず、第２洗浄ノズル３４を省略してもよい。
【００６５】
また、第１〜第３バルブ２５〜２７の構造は上記した構造に限られるものではなく、上記したように流路を切り替えることができるものであれば、任意の構造のものを用いることができる。
【００６６】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６７】
以上説明したように、本発明に係る暖房便座は、例えば洋式便器に載置して使用することができる。
【符号の説明】
【００６８】
１          暖房便座
１０        便座
２０        温水循環回路
２１        温水通路
２２        給湯配管
２３        ヒーター
２４        ポンプ
２５        第１バルブ（排水切換弁）
３０        局部洗浄回路
３１        第１配管（局部洗浄用温水配管）
３２        第２配管（局部洗浄用温水配管）
３３        第１洗浄ノズル
３４        第２洗浄ノズル
４０        第１排水回路
８０        熱交換器
【図１】
2015029856.tif 000003
【図２】
2015029856.tif 000004
【図３】
2015029856.tif 000005
【図４】
2015029856.tif 000006
【図５】
2015029856.tif 000007
【図６】
2015029856.tif 000008
【図７】
2015029856.tif 000009
【図８】
2015029856.tif 000010
【図９】
2015029856.tif 000011
【図１０】
2015029856.tif 000012
【図１１】
2015029856.tif 000013
【図１２】
2015029856.tif 000014
【図１３】
2015029856.tif 000015